(57)【要約】      （修正有）【課題】対面式のカウンター等の任意の対面位置に容易に着脱でき、感染症を予防する簡易的な対面用防護パネルを提供する。【解決手段】対面用防護パネル本体１は、ウイルス等を防護する役割を有する透視可能なシールド具２と、このシールド具２の土台の役割を有する保持部材３とで構成する。シールド具２は、対面販売や対面接客するための対面位置に載置可能に設ける。このシールド具２は、例えば、ポリカーボネートやポリエチレンテレフタレート、アクリルなどの樹脂等の透明、或は、半透明素材を材料として形成され、これにより、感染症対策などの防護部材となる。シールド具２は、対面位置を遮蔽する正面板４と左面板５と、右面板６と、上面板７とを有しており、正面側、左右両側、上面側の四方を囲う構成になっている。【選択図】図１
0003152493.tif 000002
【実用新案登録請求の範囲】
【請求項１】
対面販売や対面接客するための対面位置に、透視可能な遮蔽用シールド具を載置可能に設け、このシールド具を感染症対策用などの防護部材としたことを特徴とする対面用防護パネル。
【請求項２】
対面位置より取り外した前記シールド具を折畳自在に設けて廃棄可能にした請求項１に記載の対面用防護パネル。
【請求項３】
カウンターなどの対面位置上に、両面テープ、強力磁石、ワイヤなどの固着手段を介して保持部材を取付け、この保持部材に前記シールド具を着脱自在に設け、前記シールド具を廃棄するようにした請求項１又は２に記載の対面用防護パネル。
【請求項４】
カウンターなどの対面位置上面に前記シールド具を着脱可能に設け、かつ、このシールド具を廃棄するようにした請求項１又は２に記載の対面用防護パネル。
【請求項５】
対面位置であるカウンターにキャスターなどを設けて移動可能とし、このカウンターの対面位置上にパネル構成部材を設け、このパネル構成部材のうち、前記シールド具を廃棄可能に設けた請求項１又は２に記載の対面用防護パネル。
【請求項６】
前記保持部材を略円弧形状に形成して、この保持部材に対応した形状のシールド具を保持部材に着脱可能に設けた請求項１乃至５の何れか１項に記載の対面用防護パネル。
【請求項７】
請求項１乃至６における対面用防護パネルにおいて、このパネルを感染症対策以外に、防犯対策、トラブル・障害対策などの防護用とした対面用防護パネル。
【考案の詳細な説明】
【技術分野】
【０００１】
本考案は、新型インフルエンザや鳥インフルエンザ等の感染症から防護し、かつ、持ち運び可能な対話用保護パネルに関する。
【背景技術】
【０００２】
新型インフルエンザや鳥インフルエンザ等の感染症に対して人間は免疫を持っていないため、パンデミック（世界的な大流行）が発生した場合、世界の一般社会で急速に感染が拡大し、人命や社会的経済活動に多くの被害をもたらすことが懸念されている。パンデミック時においては、二次感染の拡大を可能な限り防止するために最大限の注意を払う必要があり、これらのインフルエンザは、長い場合には４〜５日程度の潜伏期間があるため、この潜伏期間においても感染を防ぐ必要がある。
【０００３】
この場合、特に、受付カウンターやサービスカウンターなどの対面式のカウンターを利用した、調剤薬局や病院事務などの医療機関、銀行等の金融機関、或は、一般企業における窓口業務では、応対者は、不特定多数の外来者と向かい合うことが多いため、飛沫感染や接触感染により上記インフルエンザ等の感染症に感染する可能性が一般の場合と比べて高い。このうち、特に、医療機関の窓口業務では、外来者が病人であることが多く、外来者の中にインフルエンザ感染者が含まれていると感染する可能性が極めて高くなる。
この種の窓口業務で用いられる対面式のカウンターとしては、例えば、特許文献１の窓口移動着脱カウンターがある。このカウンターは、取付金具を備えた衝立を有し、この衝立をカウンターのレール金具に取付金具で固着し、事務の繁閑に応じて窓口を移動したり増減したりするものである。
【０００４】
また、特許文献２のカウンターが窓口業務で用いられることもある。この応接用カウンターの構造は、防犯用のスクリーンを天板に取り外し可能に設けたものであり、天板に対して防犯用スクリーンの高さを変えることができる構造になっている。
これらの対面式のカウンターにおいてインフルエンザの感染を防ぐ場合、一般的に、応対者は、飛沫感染、接触感染を防ぐために防護用のマスクや手袋を着用することがある。
【先行技術文献】
【特許文献】
【０００５】
【特許文献１】実用新案第２５３３１０９号公報
【特許文献２】特開平８−２８０４９４号公報
【考案の概要】
【考案が解決しようとする課題】
【０００６】
しかしながら、対面式のカウンターにおける窓口業務では、外来者等の対面者に対して失礼の無い応対が必要であり、社会通念上、応対者がマスクや手袋を着用した状態で対面者に接することは好ましくない。この理由により、実際には、応対者が感染症を防ぐために対面者の前でマスクや手袋を着用することはほとんどない。そのため、対面者の中に潜伏期間中の感染症患者が含まれている場合には応対者への感染を防止することが難しくなる。
【０００７】
特許文献１のカウンターは、防犯用として衝立を用い、この衝立の取付けにより窓口を移動したり増減するものであり、感染症のパンデミック時に対応するカウンターとして用いることは想定されていない。そして、同カウンターは、あらかじめ背面に設けたレール金具に対して衝立を取付ける構造であるため、任意のカウンターに対して衝立を取付けることはできない。
また、特許文献２は、天板の高低を変更することで防犯用スクリーンの高さを変えるようにしたものであり、同文献１と同様に感染症に対応したものではない。このカウンターの構造についても、任意のカウンターに防犯スクリーンを配設することは想定されていない。
【０００８】
本考案は、上記の実情に鑑みて、鋭意検討の結果、開発に至ったものであり、その目的とするところは、新型インフルエンザや鳥インフルエンザ等の感染症が発生した場合のパンデミック時に、対面式のカウンター等の任意の対面位置に容易に着脱でき、感染症を予防する簡易的な対面用防護パネルを提供することにある。
【課題を解決するための手段】
【０００９】
上記目的を達成するために、本考案は、対面販売や対面接客するための対面位置に、透視可能な遮蔽用シールド具を載置可能に設け、このシールド具を感染症対策用などの防護部材とした対面用防護パネルである。
【００１０】
また、本考案は、対面位置より取り外したシールド具を折畳自在に設けて廃棄可能にした対面用防護パネルである。
【００１１】
また、本考案は、カウンターなどの対面位置上に、両面テープ、強力磁石、ワイヤなどの固着手段を介して保持部材を取付け、この保持部材にシールド具を着脱自在に設け、シールド具を廃棄するようにした対面用防護パネルである。
【００１２】
また、本考案は、カウンターなどの対面位置上面にシールド具を着脱可能に設け、かつ、このシールド具を廃棄するようにした対面用防護パネルである。
【００１３】
また、本考案は、対面位置であるカウンターにキャスターなどを設けて移動可能とし、このカウンターの対面位置上にパネル構成部材を設け、このパネル構成部材のうち、シールド具を廃棄可能に設けた対面用防護パネルである。
【００１４】
また、本考案は、保持部材を略円弧形状に形成して、この保持部材に対応した形状のシールド具を保持部材に着脱可能に設けた対面用防護パネルである。
【００１５】
また、本考案は、対面用防護パネルを、パネルを感染症対策以外に、防犯対策、トラブル・障害対策などの防護用としたものである。
【考案の効果】
【００１６】
本考案によると、新型インフルエンザや鳥インフルエンザはもとより、結核、天然痘、ＳＡＲＳ（重症急性呼吸器症候群）等を含む感染症が発生した場合のパンデミック時に、対面式のカウンター、テーブル等の任意の対面位置に容易に着脱して、シールド具を防護部材として飛沫感染や接触感染による感染症を防ぐことが可能となる。しかも、簡易的な構成であるため、手間を要することなく取付けや取り外しをおこなうことができ、また、コンパクト性に優れるため持ち運びや保管も容易である。このため、病院や企業などの不特定多数の外来者が訪れる場所に、非常時の感染症対策として予め大量に備蓄しておくことができる。更に、使用する材料を最小限に抑えることができ、廃棄時には省資源化にも寄与できる。
【００１７】
また、本考案の対面用防護パネルは、使用後にシールド具に付着したウイルスの飛散を防ぎつつこのシールド具全体を処分して二次感染を防ぐことができる。しかも、廃棄時にはコンパクト化が可能であるため、廃棄し易くなっている。
【００１８】
また、本考案の対面用防護パネルは、対面位置上に強固に取付けられた保持部材にシールド具を着脱自在に設けているので、シールド具がみだりに動くことを防止して安全に使用でき、確実にウイルス等から防護できる。この場合、使用したシールド具のみを廃棄して、保持部材を継続して使用できるので無駄が少ない。
一方、シールド具をカウンターなどの対面位置上面に直接設けることもでき、この場合には、部品点数が少なくなって設置がより容易になると共に、管理等も簡単になる。
【００１９】
また、本考案の対面用防護パネルは、キャスターによる移動により、対面位置となる場所にカウンターをあらたに設置でき、このカウンター上にパネル構成部材を設けることでウイルス等を防護できる。
【００２０】
また、矩形状の板状材料によりシールド具を構成し、このシールド具を保持部材により立設状態に保持できるので、シールド具を単純化して容易に製作できる。しかも、このシールド具の使用時には、応対者側に飛沫が巻き込まれることを防いで、優れた防護性能を発揮できる。
【００２１】
また、本考案によると、防犯対策や、トラブル・障害対策などの防護用として使用することもでき、これらの非常時において、既存のカウンターやテーブルなどにそのまま設置して使用できる対面用防護パネルを提供できる。
【図面の簡単な説明】
【００２２】
【図１】本考案の対面用防護パネルの第１実施形態を示した分離斜視図である。
【図２】図１の対面用防護パネルの使用例を示した概略側面図である。
【図３】シールド具の折畳途中の状態を示した斜視図である。
【図４】本考案の対面用防護パネルの第２実施形態を示した概略側面図である。
【図５】本考案の対面用防護パネルの第３実施形態を示した斜視図である。
【図６】本考案の対面用防護パネルの第４実施形態を示した斜視図である。
【考案を実施するための形態】
【００２３】
本考案における対面用防護パネルの実施形態を図面に基づいて詳細に説明する。図１は、本考案の対面用防護パネルの第１実施形態を示した分離斜視図であり、図２は、図１の対面用防護パネルの使用例を示した概略側面図である。
【００２４】
図１において、対面用防護パネル本体（以下、パネル本体）１は、ウイルス等を防護する役割を有する透視可能なシールド具２と、このシールド具２の土台の役割を有する保持部材３とを有している。
【００２５】
シールド具２は、対面販売や対面接客するための対面位置に載置可能に設けられている。このシールド具２は、例えば、ポリカーボネートやポリエチレンテレフタレート、アクリルなどの樹脂等の透明、或は、半透明素材を材料として形成され、これにより、感染症対策などの防護部材となる。本例におけるシールド具２は、対面位置を遮蔽する正面板４と、左面板５と、右面板６と、上面板７とを有しており、正面側、左右両側、上面側の四方を囲う構成になっている。
【００２６】
正面板５は、略矩形状に形成され、下方側の略中央位置に開口部８が形成されている。開口部８は、任意の大きさに形成され、この開口部８を介して金銭や書類などの物品の受け渡しが可能になっている。開口部８には、フラップ状の蓋部材９が開口可能に設けられ、この蓋部材９を上方側に持ち上げることで開口部８が開口状態となる。一方、通常時には、この蓋部材９を下方位置に下げることで開口部８を被蓋することが可能になっている。蓋部材９は、図に示すような上下方向に開口する態様以外にも、左右方向に開口する態様であってもよく、また、省略することも可能である。また、図示しないが、正面板４の適宜の位置に、声を聞き取り易くするために複数の小孔を設けるようにしてもよい。また、マイクや拡声器等を設けるようにしてもよく、この場合には、相手からの飛沫を確実に防ぎつつ声を聞き取り易くして会話できる。
【００２７】
左右面板５、６は、正面板４の略同じ高さに形成され、適宜の奥行きになるように形成されている。図１、３に示すように、この左右面板５、６と正面板４との間には折曲部１０、１１が設けられ、この折曲部１０、１１により左右面板５、６を正面板４に対して折り曲げて、対面位置から取り外したシールド具２を折畳自在に設けて廃棄可能にしている。
【００２８】
一方、上面板７は、正面板４と略同じ幅の長さに形成され、適宜の奥行きの長さにより形成されている。この上面板７は、正面板４に対して、例えば、載置或は嵌め込み等の仮着手段により着脱自在に取付けられている。
【００２９】
これらの正面板４、左右面板５、６、上面板７は、くしゃみ等による唾などの飛沫が飛び散ることを防ぐ大きさに形成することが望ましい。更に、左右面板５、６と上面板７とは、正面板４から飛沫が放射状に進もうとしたときに、この飛沫が正面板４を迂回して周囲に拡散しようとすることを防ぐ大きさに形成されていることが望ましい。
【００３０】
一方、図１において、保持部材３は、例えば、アルミニウム等の金属や、プラスチックなどの適宜の素材を材料として形成され、シールド具２を着脱自在に設けてこのシールド具２を廃棄できるようにしている。この保持部材３は、カウンター１２などの対面位置上に、両面テープ、強力磁石、ワイヤなどの適宜の固着手段１６を介して取付けられ、図２において、シールド具２をカウンター１２の上面１３の所定位置に保持することが可能になっている。
【００３１】
本例の保持部材３は、シールド具２の正面板４と左右面板５、６とを保持可能に、略コ字形状に形成され、正面板４と左右面板５、６とを保持する部分には、各板の下端側の一部を嵌め込むことが可能な溝部１４が形成されている。また、保持部材３におけるシールド具２の開口部８が対応する位置には切欠部１５が形成されている。この切欠部１５により、保持部材３にシールド具２を嵌め込んだ際には、開口部８の開口部分が確保され、また、蓋部材９を可動して開口できるようになっている。
【００３２】
更に、図１に示すように、保持部材３の左右両端側には連結部１７、１８が設けられている。連結部１７、１８は、例えば、図に示すような略Ｌ型形状の凸状部１９と、この凸状部１９が嵌合可能な凹状部２０とをそれぞれ有しており、凸状部１９を凹状部２０に嵌合させることにより、保持部材３が左右方向に連結するようになっている。連結部１７、１８は、必要に応じて省略することも可能である。連結部を設ける場合には、この連結部が図に示した態様以外であってもよく、保持部材３を並列に設置させるために互いを連結できるものであれば実施に応じて任意である。この場合、互いの連結を容易にし、かつ、連結時の結束力を強める形態であることが望ましい。
【００３３】
他方、パネル本体１が載置される上面１３は、カウンター１２以外の場所であってもよく、例えば、図示しないテーブルの上など、不特定多数の相手との応対が想定される場所などの任意の位置であってもよい。
【００３４】
次に、本考案の対面用防護パネルの上記実施形態における作用を説明する。
パネル本体１を設置する際には、先ず、正面板４に対して左右面板５、６を開いた状態にし、この上に上面板７を仮着してシールド具２を図１に示すような略箱型形状に組立てる。続いて、このシールド具２を、固着部材１６により上面１３に固着した保持部材３の溝部１４に嵌め込んで固定する。これにより、パネル本体１は、卓上型として簡便に設置される。設置時には、シールド具２を保持部材３と一体化した後に上面１３に固定する以外にも、上面１３に対して予め保持部材３を並列設置などの状態で取付けておき、この保持部材３に対してシールド具２を後から嵌め込むようにしてもよい。
【００３５】
本考案の対面用防護パネルは、対面位置に防護部材となるシールド具２を載置可能に設けているので、新型インフルエンザや鳥インフルエンザ等の感染症のパンデミック時において、ウイルス防護手段の無い受付カウンターやサービスカウンター等のカウンター１２等の任意の上面１３に簡単に設置できる。このため、感染する危険性の高い医療機関の窓口業務や、或は、銀行等の金融機関、一般企業等において新たに上面１３にパネル本体１を設置でき、そのシールド具２によって外来者等の対面者からのウイルス等を防護して、潜伏期間中などの感染症患者の飛沫感染や接触感染によるウイルス感染を防ぐことができる。
この場合、シールド具２を、透視可能な遮蔽用としているので、外来者等の対面者に対して顔や手指を隠すことなく失礼の無い応対が可能となり、しかも、開口部８を設けていることにより、この開口部８を介して相手との物品の受け渡しも可能である。
【００３６】
また、シールド具２の使用後には、このシールド具２を保持部材３から取り外し、このシールド具２の上面板７を取り外し、図３に示すように、左右面板５、６を組立時において対面者側に位置していた面を、廃棄時には内側に折畳むようにする。これにより、対面者側であるウイルス付着側をシールド具２の内側にとじ込めることができ、ウイルスの飛散を防いで二次感染を防止できる。また、この折畳により、コンパクト化した状態で簡単にシールド具２を廃棄処分できる。その際、シールド具２が薄板状であってもウイルスバリア性を十分に発揮でき、このように薄板状とすることで、使用材料を少なくしてコストを抑えることもできる。また、図３に示したように、折畳時に、取り外した上面板７を左右面板５、６の内側に収納すれば、上面板７による二次感染も防止できると共に、シールド具２全体を一つにまとめた状態で廃棄できる。
【００３７】
更に、感染症対策を再度施す場合には、前述した取付け手順を繰り返しおこなうことで新たなシールド具２を保持部材３に容易に取付けできる。シールド具２は、保管時にも折畳状態でコンパクトに収納されているため、携帯や持ち運びも容易である。
また、パネル本体１を使用しない場合には、シールド具２を保持部材３から取り外し、保持部材３の固着手段１６を上面１３から外して容易に撤去できる。このため、通常時においては、パネル本体１を装着しない状態にしておき、パンデミック等の非常時においてのみ簡易的な防護具として使用できる。
【００３８】
図４は、本考案の対面用防護パネルの第２実施形態を示したものである。なお、この実施形態以降において、上記実施形態と同一部分は同一符号によって表し、その説明を省略する。この実施形態においては、カウンター２１などの対面位置上面１３にシールド具２２を着脱可能に設け、かつ、このシールド具２２を廃棄するようにしたものである。また、同図において、対面位置であるカウンター２１には、キャスター２３を設けて移動可能としている。この場合、図のシールド具２２、又は、図示しないシールド具２と保持部材３とをパネル構成部材２４とし、このパネル構成部材２４を遮蔽用としてキャスター２３を設けたカウンター２１に設けることができる。また、カウンター２１の移動用として、キャスター２３以外の部品を用いるようにしてもよい。
【００３９】
図５は、本考案の対面用防護パネルの第３実施形態を示した斜視図である。この実施形態では、略円弧形状の保持部材２６を形成し、この保持部材２６に対応する形状にシールド具２７を形成し、シールド具２７を保持部材２６の溝部２８に着脱可能に設けたものである。このシールド具２７は、円弧状部位に形成されることにより、対面者が発する飛沫を巻き込むことを防ぐことができ、また、この単純な形状により製作が容易になっている。更に、このシールド具を平板状に形成し、このシールド具を溝部２８に沿わせるように弾性変形させながら保持部材２６に取付けることも可能であり、この場合にはシールド具が保持部材２６から簡単に外れることを防止できる。
【００４０】
図６は、本考案の対面用防護パネルの第４実施形態を示した斜視図である。この実施形態においては、矩形状の板状部材からなるシールド具３０を吸盤からなる保持部材３１により上面１３に吸着固定可能に設けたものである。吸盤３１には、溝状部３２が形成されており、この溝状部３２にシールド具３０の下部側を嵌め込むことで、このシールド具３０が立設状態に保持される。
【００４１】
本考案の対面用防護パネルは、上述した何れの実施形態の場合においても感染症対策以外の防護用として使用することができ、例えば、犯罪テロ対策等の防犯対策や、クレーマー対策等のトラブル・障害対策などの防護対策に対応して用いることもできる。
【符号の説明】
【００４２】
１  パネル本体
２  シールド具
３  保持部材
１２、２１  カウンター
１３  上面
１６  固着手段
２３  キャスター
２４  パネル構成部材
【図１】
0003152493.tif 000003
【図２】
0003152493.tif 000004
【図３】
0003152493.tif 000005
【図４】
0003152493.tif 000006
【図５】
0003152493.tif 000007
【図６】
0003152493.tif 000008
【手続補正書】
【提出日】平成21年5月11日(2009.5.11)
【手続補正１】
【補正対象書類名】実用新案登録請求の範囲
【補正対象項目名】全文
【補正方法】変更
【補正の内容】
【実用新案登録請求の範囲】
【請求項１】
対面販売や対面接客するための対面位置に、透視可能な遮蔽用シールド具を載置可能に設け、このシールド具は、透明又は半透明の材料で形成した正面板の左右に折曲部を介して左右面板を折量自在に構成し、このシールド具を感染症対策用などの防護部材としたことを特徴とする対面用防護パネル。
【請求項２】
対面位置より取り外した前記シールド具を折畳自在に設けて廃棄可能にした請求項１に記載の対面用防護パネル。
【請求項３】
カウンターなどの対面位置上に、両面テープ、強力磁石、ワイヤなどの固着手段を介して保持部材を取付け、この保持部材に前記シールド具を着脱自在に設けた請求項１又は２に記載の対面用防護パネル。
【請求項４】
カウンターなどの対面位置上面に前記シールド具を着脱可能に設け、かつ、このシールド具を廃棄するようにした請求項１又は２に記載の対面用防護パネル。
【請求項５】
対面位置であるカウンターにキャスターなどを設けて移動可能とした請求項３又は４に記載の対面用防護パネル。
【請求項６】
請求項１乃至５における対面用防護パネルにおいて、このパネルを感染症対策以外に、防犯対策、トラブル・障害対策などの防護用とした対面用防護パネル。
【手続補正書】
【提出日】平成21年6月3日(2009.6.3)
【手続補正１】
【補正対象書類名】実用新案登録請求の範囲
【補正対象項目名】全文
【補正方法】変更
【補正の内容】
【実用新案登録請求の範囲】
【請求項１】
対面販売や対面接客するための対面位置に、透視可能な遮蔽用シールド具を載置可能に設け、このシールド具は、透明又は半透明の材料で形成した正面板の左右に折曲部を介して左右面板を折量自在に構成し、このシールド具を感染症対策用などの防護部材としたことを特徴とする対面用防護パネル。
【請求項２】
対面位置より取り外した前記シールド具を折畳自在に設けて廃棄可能にした請求項１に記載の対面用防護パネル。
【請求項３】
カウンターなどの対面位置上に、両面テープ、強力磁石、ワイヤなどの固着手段を介して保持部材を取付け、この保持部材に前記シールド具を着脱自在に設けた請求項１又は２に記載の対面用防護パネル。
【請求項４】
カウンターなどの対面位置上面に前記シールド具を着脱可能に設け、かつ、このシールド具を廃棄するようにした請求項１又は２に記載の対面用防護パネル。
【請求項５】
対面位置であるカウンターにキャスターなどを設けて移動可能とした請求項３又は４に記載の対面用防護パネル。
【請求項６】
請求項１乃至５のいずれか１項に記載の対面用防護パネルにおいて、このパネルを感染症対策以外に、防犯対策、トラブル・障害対策などの防護用とした対面用防護パネル。